(57)【特許請求の範囲】
【請求項１】
連続的に変化する乗物状態を表示するために、前記乗物状態に連動して予め定められた配列方向に移動することで指針位置が変化する指針体と、
段階毎の前記乗物状態をそれぞれ示すための複数の指標部であって、間隔をあけて前記配列方向に並んで配置され、前記複数の指標部ごとに設けられた発光体によりそれぞれ個別に点灯形態を変化可能に設けられる複数の指標部を有する表示板と、
乗物の走行時に、前記乗物状態に基づいて、前記複数の指標部の点灯形態を変化させる制御部と
を備え、
前記制御部は、前記乗物状態に対応した対応指標部の点灯形態と、この対応指標部以外の他の指標部の点灯形態とを異ならせることを特徴とする乗物用メータ表示装置。
【請求項２】
請求項１に記載の乗物用メータ表示装置において、
前記制御部は、予め定められた条件が満たされたとき、前記複数の指標部の点灯形態を、前記条件が満たされる前の前記複数の指標部の点灯形態と異なる点灯形態にする、乗物用メータ表示装置。
【請求項３】
請求項１又は２に記載の乗物用メータ表示装置において、
前記制御部は、運転者による設定指令に応じて設定値を設定するとき、前記設定指令に基づいて、前記複数の指標部の点灯形態を変化させる、乗物用メータ表示装置。
【請求項４】
請求項３に記載の乗物用メータ表示装置において、
前記設定値は、前記乗物状態についての設定値であり、前記制御部は、前記設定指令が前記設定値に達したとき、前記複数の指標部の点灯形態を、走行時に前記乗物状態の乗物状態値が前記設定値に達したときの前記複数の指標部の点灯形態と同じ点灯形態にする、乗物用メータ表示装置。
【請求項５】
連続的に変化する乗物状態を表示するために、前記乗物状態に連動して予め定められた配列方向に移動することで指針位置が変化する指針体と、
段階毎の前記乗物状態をそれぞれ示すための複数の指標部であって、間隔をあけて前記配列方向に並んで配置され、それぞれ個別に点灯形態を変化可能に設けられる複数の指標部を有する表示板と、
乗物の走行時に、前記乗物状態に基づいて、前記複数の指標部の点灯形態を変化させる制御部と
を備え、
前記制御部は、運転者による設定指令に応じて設定値を設定するとき、前記設定指令に基づいて、前記複数の指標部の点灯形態を変化させ、
前記設定値は、前記乗物状態についての設定値であり、前記制御部は、前記設定指令が前記設定値に達したとき、前記複数の指標部の点灯形態を、走行時に前記乗物状態の乗物状態値が前記設定値に達したときの前記複数の指標部の点灯形態と同じ点灯形態にする、乗物用メータ表示装置。
【請求項６】
請求項１〜５のいずれか１つに記載の乗物用メータ表示装置において、
前記制御部は、前記複数の指標部の点灯形態を、前記指針体の移動と同期して変化させて、当該指針体の移動によって示される前記乗物状態の変化を表す第１の点灯形態に変化させ、
さらに、前記制御部は、予め定められた条件が満たされたとき、前記複数の指標部の点灯形態を、前記第１の点灯形態とは異なる第２の点灯形態に変化させる、乗物用メータ表示装置。
【請求項７】
連続的に変化する乗物状態を表示するために、前記乗物状態に連動して予め定める配列方向に移動することで指針位置が変化する指針体と、
段階毎の前記乗物状態をそれぞれ示すための複数の指標部であって、間隔をあけて前記配列方向に並んで配置され、それぞれ個別に点灯形態を変化可能に設けられる複数の指標部を有する表示板と
を備え、
前記複数の指標部は、前記指針体の移動と同期して変化することによって、当該指針体の移動によって示される前記乗物状態の変化を示す第１の点灯形態になり、
さらに、予め定められた条件が満たされたときに、前記複数の指標部の点灯形態は、前記第１の点灯形態とは異なる第２の点灯形態になることを特徴とする乗物用メータ表示装置。
【発明の詳細な説明】
【技術分野】
【０００１】
本発明は、乗物に設けられる乗物用メータ表示装置に関する。
【背景技術】
【０００２】
乗物用メータ表示装置として、略円形状の文字盤上で指針を回動させ、文字盤の外周部に記された目盛を指針でエンジン回転数を指し示すことで、運転者がエンジン回転数を視認できるものがある（例えば特許文献1）。
【先行技術文献】
【特許文献】
【０００３】
【特許文献１】特開２０１３−２００１８３号公報
【発明の概要】
【発明が解決しようとする課題】
【０００４】
運転者が走行中にメータ表示装置の表示内容を表示することから、視認性を向上することが要望される。
【０００５】
そこで、本発明の課題は、表示内容の視認性を向上することができる乗物用メータ表示装置を提供することにある。
【課題を解決するための手段】
【０００６】
前記課題を解決するため、本発明の乗物用メータ表示装置は、走行時に連続的に変化する乗物状態を表示するために、前記乗物状態に連動して予め定める配列方向に移動することで指針位置が変化する指針体と、段階毎の前記乗物状態をそれぞれ示すための複数の指標部であって、間隔をあけて前記配列方向に並んで配置され、それぞれ個別に点灯形態を変化可能に設けられる複数の指標部を有する表示板と、前記乗物状態に基づいて、前記複数の指標部の点灯形態を変化させる制御部とを備えることを特徴とする。
【０００７】
前記構成の乗物用メータ表示装置によれば、指針体だけでなく、複数の指標部の点灯形態によっても乗物状態を表示することができる。このようにして乗物状態を指針体以外でも表示することで、表示内容の視認性を向上させることができる。
【０００８】
ここで、点灯形態を変化させるとは、指標部で示される情報であって、運転者が視認可能な情報を変化させることを意味する。例えば指標部の点灯と消滅とを切り換えたり、指標部の点滅の間隔を変化させたり、指標部の点灯色や明るさを変化させることを含む。
【０００９】
また、一実施形態の乗物用メータ表示装置では、前記複数の指標部は、前記乗物状態を示すための指標値であり、前記制御部は、前記乗物状態に対応した対応指標値を含むと共に対応指標値に対して配列方向の一方に並ぶ指標値群の点灯形態と、前記対応指標値よりも配列方向の他方に並ぶ指標値群の点灯形態とを異ならせる。
【００１０】
前記実施形態によれば、指標値群の点灯形態の切り替わりによって対応指標値を強調して表示できる。このようにして強調された対応指標部を運転者が確認することで、乗物状態を把握できる。したがって、運転者による表示内容の視認性を向上できる。
【００１１】
また、一実施形態の乗物用メータ表示装置では、前記制御部は、前記乗物状態に対応した対応指標部の点灯形態と、この対応指標部以外の他の指標部の点灯形態とを異ならせる。
【００１２】
前記実施形態によれば、前記対応指標部の点灯形態と、この対応指標部以外の他の指標部の点灯形態とが異なるので、対応指標部を強調して表示できる。このようにして残余の指標部に比べて強調された対応指標部を運転者が確認することで、乗物状態を把握できる。したがって、運転者による表示内容の視認性を向上できる。
【００１３】
また、一実施形態の乗物用メータ表示装置では、前記制御部は、予め定められた条件が満たされたとき、前記複数の指標部の点灯形態を、前記条件が満たされる前の前記複数の指標部の点灯形態と異なる点灯形態にする。
【００１４】
前記実施形態によれば、前記複数の指標部の点灯形態は、前記条件が満たされる前後で異なるので、複数の指標部の点灯形態の変化によって、前記条件が満たされたことを強調して表示できる。したがって、運転者が前記条件が満たされたことを視認できる。
【００１５】
前記条件は、乗物状態の他にも、時報、走行時間などの時間的条件を満たした場合や、ＡＢＳ作動、トラクションコントロール作動、ローンチ作動、リミット制御作動などの走行時に一時的に発生する特別制御状態の開始、終了、継続を示す特別制御条件を満たした場合、故障または異常状態を満たした場合に関する条件である。
【００１６】
また、一実施形態の乗物用メータ表示装置では、前記制御部は、運転者による設定指令に応じて設定値を設定するとき、前記設定指令に基づいて、前記複数の指標部の点灯形態を変化させる。
【００１７】
前記実施形態によれば、運転者が設定値を設定するとき、前記複数の指標部の点灯形態は、前記設定指令に基づいて変化する。したがって、運転者が指標部の点灯状態を確認することで、運転者による設定指令を視認することができる。例えば、設定値が大きくなるにつれて、点灯すべき指標部を増やすことで、設定値の大きさを把握しやすくできる。
【００１８】
例えば前記設定値は、シフトアップ回転数、ローンチ回転数、ＡＢＳの作動しやすさやトラクションコントロールの作動しやすさであってもよい。
【００１９】
また、一実施形態の乗物用メータ表示装置では、前記設定値は、前記乗物状態についての設定値であり、前記制御部は、前記設定指令が前記設定値に達したとき、前記複数の指標部の点灯形態を、走行時に前記乗物状態の乗物状態値が前記設定値に達したときの前記複数の指標部の点灯形態と同じ点灯形態にする。
【００２０】
前記実施形態によれば、設定値を設定するにあたって、走行時の前記複数の指標部の点灯形態を再現して表示することで、運転者が設定値の大きさをさらに理解しやすい。
【００２１】
また、一実施形態の乗物用メータ表示装置では、前記乗物状態は、駆動源の回転数であり、前記指針体は、回転中心を有し、この回転中心周りに前記回転数に応じて角変位し、前記配列方向は、前記回転中心に対する周方向であり、前記複数の指標部は、前記配列方向に並ぶ数字表示部を含み、これらの数字表示部は、前記回転数を示す前記指針位置に対応している。
【００２２】
前記実施形態によれば、指標体の指針位置と指標部の数字表示部とによって、駆動源の回転数を明確に表示できる。このようにして明確に表示された駆動源の回転数を運転者が確認することで、駆動源の回転数を把握できる。したがって、運転者による表示内容の視認性を向上できる。
【００２３】
また、本発明の乗物用メータ表示装置では、連続的に変化する乗物状態を表示するために、前記乗物状態に連動して予め定める配列方向に移動することで指針位置が変化する指針体と、段階毎の前記乗物状態をそれぞれ示すための複数の指標部であって、間隔をあけて前記配列方向に並んで配置され、それぞれ個別に点灯形態を変化可能に設けられる複数の指標部を有する表示板とを備えることを特徴とする。
【００２４】
前記構成の乗物用メータ表示装置によれば、指針体によって乗物状態を表示できると共に、複数の指標部の点灯形態の変化によっても、乗物状態を表示できる。このため、乗物状態の表示を多様化でき、指標部の点灯形態を個別に変化させることで、運転者へ報知する乗物状態の表示を強調したり、追加したりすることができる。したがって、運転者の利便性を向上させることができる。
【発明の効果】
【００２５】
本発明の乗物用メータ表示装置によれば、乗物状態の表示を多様化できるので、表示内容の視認性を向上することができる。
【図面の簡単な説明】
【００２６】
【図１】本発明に係るメータ表示装置を備えた自動二輪車の操舵部を後上方から見た斜視図である。
【図２】前記メータ表示装置の正面図である。
【図３】前記メータ表示装置のブロック図である。
【図４】前記メータ表示装置の走行時の動作を説明するフローチャートである。
【図５】前記メータ表示装置の設定値の設定時の動作を説明するフローチャートである。
【図６】設定値の設定時における前記メータ表示装置の正面図である。
【発明を実施するための形態】
【００２７】
以下、本発明の乗物用メータ表示装置を図示の実施形態により詳細に説明する。
【００２８】
図１は、本発明の一実施形態のメータ表示装置およびこれを備えた自動二輪車の操舵部を示している。図１に示すように、この自動二輪車の操舵部は、操舵軸１と、操舵用のアッパーブラケット２と、操舵用のアンダーブラケット３と、右ハンドルバー５と、左ハンドルバー６とを備えている。
【００２９】
操舵軸１は、車体フレーム（図示せず）の前端部のヘッドパイプ１０に回動自在に支持されており、操舵軸１の上端にアッパーブラケット２の左右幅方向の中央部が固着され、操舵軸１の下端にアンダーブラケット３の左右幅方向の中央部が固着されている。アッパーブラケット２の左右幅方向の両端部およびアンダーブラケット３の左右幅方向の両端部は、左右のフロントフォーク１２に結合されており、左右のフロントフォーク１２は下方に延び、それら下端部には、図示しない前輪が支持されている。
【００３０】
右ハンドルバー５は、アッパーブラケット２の右端部及び右側フロントフォーク１２の上端部に固着され、右後方へ延びている。右ハンドルバー５には、押しボタン式のファンクションスイッチ８２を有する右側ハンドルスイッチ装置７が設けられている。
【００３１】
左ハンドルバー６は、アッパーブラケット２の左端部及び左側フロントフォーク１２の上端部に固着され、左後方へ延びている。左ハンドルバー６には、押しボタン式の表示変更スイッチ８１を有する左側ハンドルスイッチ装置８が設けられている。表示変更スイッチ８１は、順向送り操作部８６と逆向送り操作部８７とを有している。
【００３２】
アッパーブラケット２の前方にはメータ表示装置１５が配置され、かつ、車幅方向の略中央に位置している。このメータ表示装置１５は、図示しないブラケット等を介してヘッドパイプ１０に支持されている。メータ表示装置１５は、操舵軸１回りに左右に移動（角変位）するようになっている。
【００３３】
図２は、メータ表示装置１５の平面図を示している。
【００３４】
図２に示すように、メータ表示装置１５は、タコメータ２１と、このタコメータに隣接して配置された液晶表示部２２と、タコメータ２１の外側に円弧状に配置されたインジケータ領域２３とを備える。
【００３５】
タコメータ２１は、略円形状の文字盤３１と、この文字盤３１上で回動する指針３２とを有している。タコメータ２１は、駆動源であるエンジンのエンジン回転数を表示するものである。なお、文字盤３１は、表示板の一例である。また、指針３２は、指針体の一例である。また、エンジン回転数は、乗物状態値の一例である。
【００３６】
指針３２は、棒状部材からなっており、この棒状部材の色は赤色である。指針３２は、回転中心３２ａと、この回転中心３２ａに近い方の一端部である基端部３２ｂと、他端部である先端部３２ｃとを有している。回転中心３２ａは、文字盤３１の略中央に位置している。指針３２は、エンジン回転数に応じて、回転中心３２ａ周りに角変位制御され、基端部３２ｂおよび先端部３２ｃは、回転中心３２ａ周りに周方向に角変位するようになっている。指針３２の先端部３２ｃの先端の位置が指針３２の指針位置になる。
【００３７】
指針３２の角変位の範囲は、例えば１８０度以上であり、本実施形態では、２２０度以上に設定されている。エンジン回転数が０ｒｐｍのときの指針３２の指針位置は、停止角度位置である。この停止角度位置は、回転中心３２ａよりも下方で、かつ、回転中心３２ａよりも車幅方向右側である。指針３２は、図示しないモータによって回転駆動され、エンジン回転数に応じて予め定められた配列方向である時計回り方向に角変位し、連続的に変化するエンジン回転数をアナログ表示する。
【００３８】
指針３２は、エンジン回転数が予め定める低回転数域である場合と、この低回転数域より大きい高回転数域である場合とで、エンジン回転数の変化に対する角度変化を異ならせている。低回転数域では、所定のエンジン回転数の変化幅に対する角度変化が小さく、高回転数域では、所定のエンジン回転数の変化幅に対する角度変化が大きく設定される。これによって、予め定められた角度範囲において、運転者の視認要求が低いエンジン回転数域（低回転数域）での前記角度変化を小さくでき、運転者の視認要求が高いエンジン回転数域（高回転数域）での前記角度変化を大きくできるから、利便性を向上できる。
【００３９】
文字盤３１は、板状部材からなっており、この板状部材の表面の色は黒色である。文字盤３１は、複数の指標部としての数字表示部３６と、目盛部３７と、図示しない複数の発光体（具体的にはＬＥＤ）とを有している。数字表示部３６および目盛部３７は、文字盤３１の外周部に円弧状に配置されている。前記複数の発光体は、文字盤３１内に設けられている。
【００４０】
数字表示部３６は、エンジン回転数（０ｒｐｍ〜１６０００ｒｐｍ）を示すための指標値である。数字表示部３６は、指針３２の回転中心３２ａに対して、周方向に円弧状に並んで配置されている。具体的には、数字表示部３６は、指針３２の指針位置が角変位する角度範囲内に配置されている。本実施形態では、数字表示部３６は、複数の数字（「０」，「１」，「２」，「３」，「４」，「６」，「８」，「１０」，「１２」，「１４」，「１６」）からなっている。数字表示部３６は、文字盤３１の外周部の右下部に配置された「０」から右上部に配置された「１６」まで、指針３２の回転中心３２ａに対して周方向時計回りに順に配置されている。指針３２の回転中心３２ａから指針３２の指針位置の半径距離よりも大きい半径距離で、数字表示部３６が前記周方向に並んで配置されている。これによって、正面視において、数字表示部３６が配置されている領域が指針３２の指針位置の移動範囲よりも径方向外側に位置する。指針３２が角変位することで、指針３２の指針位置に近接する数字表示部３６が変化する。
【００４１】
数字表示部３６は、時計回りに周方向に変化する度に、表される数字が大きくなり、指針３２の指針位置が示すエンジン回転数と、このエンジン回転数に対応する数字が表示される。すなわち、指針３２の指針位置によって、エンジン回転数を示す回転数を意味する数字が付与される。具体的には、前記停止角度位置では、「０」が対応している。また、指針３２の指針位置によって、エンジン回転数が「Ｘ×１０００ｒｐｍ」を表す指針位置には、「Ｘ」が対応している（ここで、Ｘは、任意の整数値）。
【００４２】
数字表示部３６は、予め定められた値以上のエンジン回転数を示すものが、所定値未満のエンジン回転数を示すものに比べて、サイズが大きく設定される。言い換えると、発光量が大きく設定される。本実施形態では、８０００ｒｐｍ以上を示す数字表示部３６のサイズが大きく設定されている。本実施形態では、サイズが大きくなる回転数は、指針３２に設定されるエンジン回転数の変化に対する角度変化が切り替わる回転数よりも大きい値に設定される。例えば、サイズが大きくなる回転数は、通常定速走行に用いられるであろう常用回転数以上の値に設定される。
【００４３】
数字表示部３６は、それぞれ個別に点灯状態を変化可能に構成されている。本実施形態では、数字表示部３６ごとに、発光体が設けられ、各発光体を個別に制御することで、数字表示部３６を個別に点灯させることができる。数字表示部３６が点灯したときの色は、指針３２の色と同じ赤色である。数字表示部３６が消灯したときの色は、文字盤３１の表面の色と同じ黒色である。これにより、消灯した数字表示部３６は、目立ちにくくなる。
【００４４】
図２では、黒塗りで示した数字表示部３６が点灯していることを示す一方、白抜きで示した数字表示部３６が消灯表示していることを示す。指針３２が任意の回転数を指針位置で示す場合には、指針３２の指針位置に対応する数字表示部３６と、この数字表示部３６よりも反時計回り方向側に位置する全ての数字表示部３６が全て点灯する。一方、指針３２の指針位置に対応する数字表示部３６よりも時計回り方向側に位置する数字表示部３６が全て消灯する。本実施形態では、指針３２が示すエンジン回転数以下を示す数字表示部３６を全て点灯させ、指針３２が示すエンジン回転数よりも大きいエンジン回転数を示す数字表示部３６を全て消灯させる。
【００４５】
目盛部３７は、複数の目盛からなっている。目盛部３７は、指針３２の回転中心３２ａに対して、周方向に円弧状に並んで配置されている。具体的には、目盛部３７は、指針３２の指針位置が角変位する角度範囲内に配置されている。本実施形態では、指針３２の回転中心３２ａから指針３２の指針位置までの半径距離と同じ半径距離で、目盛部３７が前記周方向に並んで配置されている。これによって、正面視において、目盛部３７が配置されている領域が指針３２の指針位置の移動範囲に重なる。指針３２が角変位することで、指針３２の指針位置に重なる目盛部３７が変化する。
【００４６】
より詳しくは、目盛部３７は、文字盤３１の外周部の右下部（数字表示部３６の「０」に対応する位置）と右上部（数字表示部３６の「１６」に対応する位置）との間で周方向右回りに等間隔に配置されている。目盛部３７は、エンジン回転数（０ｒｐｍ〜１６０００ｒｐｍ）を５００ｒｐｍ毎に指示する位置に設けられている。目盛部３７のうち、数字表示部３６に対応する目盛部３７は、数字表示部３６に対応しない目盛部３７に比べて大きくなっている。
【００４７】
また、目盛部３７は、目盛部３７に対応する図示しない発光源によって発光可能に設けられている。自動二輪車の走行準備が完了した段階で、全ての目盛部３７が点灯され、走行が終了した段階で、全ての目盛部３７が消灯される。目盛部３７が点灯したときの色は、一般に白色だが、文字盤３１の外周部の右上部（数字表示部３６の「１４」と「１６」との間に対応する位置）に位置する目盛が点灯したときの色は、赤色である。この赤色は、エンジン回転数のいわゆるレッドゾーンを表している。
【００４８】
液晶表示部２２は、タコメータ２１で表示される情報以外の情報、例えば、車速、ギア位置、オドメータ、積算メータ、時刻、水温、走行モード、エラー情報などを液晶表示するようになっている。
【００４９】
インジケータ領域２３は、タコメータ２１および液晶表示部２２で表示される情報以外の情報を表示するようになっている。インジケータ領域２３は、タコメータ２１の右下から右上まで指針３２の回転中心３２ａ周りに１８０度以上延在する円弧状の領域である。本実施形態では、このインジケータ領域２３は、数字表示部３６が配置される配置領域の回転中心３２ａ周りの角度範囲よりも大きい角度範囲に設定されている。
【００５０】
インジケータ領域２３の上部２３ａには、ニュートラル表示、ハイビーム表示、左右指示器動作表示、燃料残量低下表示、ハザード表示などの乗物状態を示す表示が、前記周方向に間隔をあけて配置されている。インジケータ領域２３の左部２３ｂには、ＡＢＳ（Anti-lock Brake System）装置の異常、エンジンオイルの圧力低下の異常、レインモード表示などの異常表示やモード表示が、前記周方向に間隔をあけて配置されている。インジケータ領域２３の右下部２３ｃには、水温表示（水温低）、水温表示（水温高）、および充電警告表示の乗物状態を示す表示が、前記周方向に間隔をあけて配置されている。インジケータ領域２３の各表示は、発光体によって点灯されるようになっている。
【００５１】
図３は、メータ表示装置１５のブロック図を示している。
【００５２】
図３に示すように、メータ表示装置１５は、制御部の一例としてのＣＰＵ５１と、メモリ５２と、指針駆動回路５３と、ＬＥＤ駆動回路５４と、液晶駆動回路５５とを備えている。ＣＰＵ５１と、メモリ５２等の関連デバイス５３，５４，５５とが電気的に接続されている。ＣＰＵ５１には、乗物状態を制御するためのＥＣＵ（エンジン・コントロール・ユニット）７０と、イグニッションスイッチ８０と、表示変更スイッチ８１と、ファンクションスイッチ８２とが電気的に接続されている。
【００５３】
メモリ５２は、例えばＥＥＰＲＯＭやフラッシュメモリ等の不揮発性の半導体メモリによって構成されて各種の制御プログラムや初期設定値を記憶しているＲＯＭと、後述する各種センサからのデータや制御プログラムや設定内容をワークメモリとして一時的に記憶しているＲＡＭとを有している。
【００５４】
ＣＰＵ５１は、メータ表示装置１５においてやり取りされる各種の信号の入力や出力を制御する。ＣＰＵ５１は、イグニッションスイッチ８０のオンによりメモリ５２のＲＯＭに記憶された制御プログラムを実行するが、その実行に必要な各種のデータや信号をメモリ５２のＲＡＭから読み込むようになっている。
【００５５】
指針駆動回路５３は、タコメータ２１の指針３２の回動を制御する回路である。指針３２は、ＥＣＵ７０や前記センサからの電気信号に基づいて、指針駆動回路５３および図示しないモータによって角変位するようになっている。
【００５６】
ＬＥＤ駆動回路５４は、タコメータ２１の複数のＬＥＤ３５のうち、いずれのＬＥＤ３５を点灯又は消灯にするかを制御する回路である。
【００５７】
液晶駆動回路５５は、各種の乗物状態の情報を液晶表示部２２に表示させるために液晶を駆動制御する回路である。
【００５８】
ＥＣＵ７０は、各種の乗物状態の情報を検出するセンサ、例えばエンジン回転数センサ７１，ギア位置センサ７２，車速センサ７３，オイル温度センサ７４，水温センサ７５から得られた各種の乗物状態の情報に関する信号をＣＰＵ５１に出力する。すなわち、ＥＣＵ７０は、エンジン回転数、ギア位置、車速、オイル温度、水温等の乗物状態の情報をＣＰＵ５１に出力する。
【００５９】
ファンクションスイッチ８２は、押すことにより、設定指令に関する信号をＣＰＵ５１に送って、例えば液晶表示部２２の表示内容を順次変更するようになっている。表示変更スイッチ８１は、押すことにより、設定指令に関する信号をＣＰＵ５１に送って、設定指令に応じて設定値を設定できるようになっている。具体的には、表示変更スイッチ８１の順向送り操作部８６（図１参照）を押すことにより、例えば液晶表示部２２に表示された設定値を１ずつ増加させることができる。また、表示変更スイッチ８１の逆向送り操作部８７（図１参照）を押すことにより、例えば前記設定値の値を１ずつ減少させることができる。
【００６０】
次に、メータ表示装置１５の走行時の動作を、図２〜図４を参照しながら説明する。図４は、メータ表示装置１５の走行時の動作のフローチャートである。
【００６１】
図４に示すように、まず、イグニッションスイッチ８０がオンになってスタートすると、ステップＳ１０１で、ＣＰＵ５１は、液晶駆動回路５５を介して液晶表示部２２に初期画面を表示させる。次に、ステップＳ１０２に進んで、ＣＰＵ５１は、エンジン回転数センサ７１からＥＣＵ７０を介してエンジン回転数の情報を取得する。
【００６２】
次に、ステップＳ１０３に進んで、ＣＰＵ５１は、取得したエンジン回転数の情報に基づいて指針駆動回路５３を介して指針３２を駆動制御すると共に、ＬＥＤ駆動回路５４を介して前記複数のＬＥＤ３５の点灯または消灯を制御して、数字表示部３６の点灯形態を制御する。
【００６３】
具体的には、図２に示すように、エンジン回転数が８０００ｒｐｍ以上１００００ｒｐｍ未満のとき、数字表示部３６の「０」〜「８」を点灯すると共に、数字表示部３６の「１０」〜「１６」を消灯する。その後、エンジン回転数が上昇して１００００ｒｐｍに達したり、１００００ｒｐｍを超過すると、数字表示部３６の「１０」を新たに点灯する。その後、エンジン回転数が下降して、８０００ｒｐｍ以上１００００ｒｐｍ未満のときには、数字表示部３６の「０」〜「８」を点灯すると共に、数字表示部３６の「１０」〜「１６」を消灯する。
【００６４】
次に、ステップＳ１０４に進んで、ＣＰＵ５１は、メモリ５２に保存されている設定値であるシフトアップ回転数の読み取りを行い、前記エンジン回転数が予め定められたシフトアップ回転数以上であるか否か判別する。エンジン回転数がシフトアップ回転数以上のときは、ステップＳ１０５に進む一方、エンジン回転数がシフトアップ回転数未満のときは、ステップＳ１０６に進む。
【００６５】
ステップＳ１０５では、ＣＰＵ５１は、ＬＥＤ駆動回路５４を介して前記複数のＬＥＤ３５の点灯または消灯を制御して、数字表示部３６の点灯形態をシフトアップ時の点灯形態にする。具体的には、点灯状態の数字表示部３６を点滅表示する。この点灯形態により、エンジン回転数がシフトアップ回転数に到達したことを運転者に報知する。その後、図４のステップＳ１０２に進む。
【００６６】
一方、ステップＳ１０６では、ＣＰＵ５１は、表示終了、すなわちイグニッションスイッチがオフであるか否か判別する。イグニッションスイッチがオフでないときは、ステップＳ１０２に進む一方、イグニッションスイッチがオフのときは、メータ表示装置１５の動作を終了する。
【００６７】
次に、メータ表示装置１５の設定値（シフトアップ回転数）を設定するときの動作を、図３、図５、および図６を参照しながら説明する。図５は、メータ表示装置１５の設定値の設定時の動作のフローチャートである。図６は、設定値の設定時におけるメータ表示装置１５の正面図である。
【００６８】
前記設定値を設定するときは、自動二輪車の走行状態において、前記設定値となったときのメータ表示装置１５の表示形態と同様の表示形態となる。具体的には、図５に示すように、まず、イグニッションスイッチ８０がオンになってスタートすると、ステップＳ２０１で、ＣＰＵ５１は、液晶駆動回路５５を介して液晶表示部２２に初期画面を表示させる。次に、ステップＳ２０２に進んで、ＣＰＵ５１は、設定モードか否か、すなわち表示変更スイッチ８１がオンされたか否か判別する。表示変更スイッチ８１がオンされると、ステップＳ２０３に進む。
【００６９】
ステップＳ２０３では、ＣＰＵ５１は、設定値の取得、すなわちファンクションスイッチ８２を介して運転者からの前記設定値の指令情報を取得する。
【００７０】
次に、ステップＳ２０４に進んで、ＣＰＵ５１は、取得した前記設定値の指令情報に基づいて、液晶駆動回路５５を介して液晶表示部２２に設定画面を表示させる。また、ＣＰＵ５１は、ＬＥＤ駆動回路５４を介して前記複数のＬＥＤ３５を点灯または消灯して、数字表示部３６の点灯形態を制御する。
【００７１】
具体的には、図６に示すように、ＣＰＵ５１は、液晶表示部２２に前記設定値が１００００ｒｐｍであることを表示する。また、ＣＰＵ５１は、前記設定値であるときの指針３２の指針位置に指針３２を角変位させると共に、前記設定値以下の回転数を示す数字表示部３６（「０」〜「１０」）を点滅表示させ、前記設定値より大きい回転数を示す数字表示部３６（「１２」〜「１６」）を消灯する。これらの点灯形態により、エンジン回転数が前記設定値に到達したときに、数字表示部３６がどのような点灯形態になるか運転者に報知する。
【００７２】
次に、図５のステップＳ２０５に進んで、ＣＰＵ５１は、設定終了、すなわちファンクションスイッチ８２を介して運転者から設定値を確定する入力があるか否かを判別する。設定値を確定する入力がなかったときは、ステップＳ２０３に進む一方、設定値を確定する入力があったときは、ステップＳ２０６に進んで、ＣＰＵ５１は設定値をメモリ５２に記憶して、設定値の設定を終了する。
【００７３】
前記構成のメータ表示装置１５によれば、指針３２だけでなく、複数の数字表示部３６の点灯形態によってもエンジン回転数を表示することができる。このようにしてエンジン回転数を指針３２以外でも表示することで、表示内容の視認性を向上させることができる。
【００７４】
また、複数の数字表示部３６の点灯形態の切り替わりによってエンジン回転数に対応する数字表示部３６を強調して表示できる。このようにして強調された数字表示部３６を運転者が確認することで、エンジン回転数を把握できる。したがって、運転者による表示内容の視認性を向上できる。
【００７５】
また、エンジン回転数に対応する数字表示部３６の点灯形態と、このエンジン回転数に対応する数字表示部３６以外の他の数字表示部３６の点灯形態とが異なるので、エンジン回転数に対応する数字表示部３６を強調して表示できる。このようにして残余の数字表示部３６に比べて強調されたエンジン回転数に対応する数字表示部３６を運転者が確認することで、エンジン回転数を把握できる。したがって、運転者による表示内容の視認性を向上できる。
【００７６】
また、複数の数字表示部３６の点灯形態は、エンジン回転数がシフトアップ回転数に達する前後で異なるので、複数の数字表示部３６の点灯形態の変化によって、エンジン回転数がシフトアップ回転数に達したことを強調して表示できる。したがって、運転者がエンジン回転数がシフトアップ回転数に達したことを視認できる。
【００７７】
エンジン回転数がシフトアップ回転数に達する場合の他にも、時報、走行時間などの時間的条件を満たした場合や、ＡＢＳ作動、トラクションコントロール作動、ローンチ作動、リミット制御作動などの走行時に一時的に発生する特別制御状態の開始、終了、継続を示す特別制御条件を満たした場合、故障または異常状態を満たした場合であってもよい。
【００７８】
また、運転者が設定値を設定するとき、複数の数字表示部３６の点灯形態は、前記指令情報に基づいて変化する。したがって、運転者が数字表示部３６の点灯状態を確認することで、運転者による設定指令を視認することができる。例えば、設定値が大きくなるにつれて、点灯すべき数字表示部３６を増やすことで、設定値の大きさを把握しやすくできる。
【００７９】
例えば前記設定値は、シフトアップ回転数の他にも、ローンチ回転数、ＡＢＳの作動しやすさやトラクションコントロールの作動しやすさであってもよい。
【００８０】
また、設定値を設定するにあたって、走行時の前記複数の数字表示部３６の点灯形態を再現して表示することで、運転者が設定値の大きさをさらに理解しやすい。
【００８１】
また、インジケータ領域２３は、タコメータ２１の左下から右上までタコメータ２１の周方向に略１８０度以上延在する円弧状の領域であるので、各種のインジケータを例えば液晶表示部２２内に配置するよりも多く配置できると共に、インジケータの表示の大きさを大きくできる。
【００８２】
また、本発明のメータ表示装置１５は、自動二輪車のような鞍乗り型車両に好適に適用される。４輪車に比べて表示領域が狭く形成されており、シフトアップインジケータなどのインジケータを増やすには限度があるが、本発明では、インジケータの種類を増やすことなく、運転者に乗物状態値等の情報を伝えやすくすることができ、メータ表示装置の大型化を防ぐことができる。
【００８３】
また、自動二輪車のような鞍乗り型車両では、コーナリング時に、メータ表示装置１５に対する運転者の視認方向が左右に変化する場合がある。例えば運転者が上半身を車体中心に対して旋回中心寄りにずらして車体を傾斜（バンク）させて走行することがある。このような場合には、運転者の頭部とメータ表示装置１５とを結ぶ直線が車体中心から離れて、運転者の視認方向がずれる。本発明では、このように視認方向がずれたとしても、指針３２以外の数字表示部３６によってもエンジン回転数を視認可能とすることができるので、運転者によるメータ表示装置１５の視認性を向上できる。
【００８４】
駆動源であるエンジンのエンジン回転数ごとに出力トルクが変化するので、運転者が出力可能なトルクを判断するために、エンジン回転数の視認性を向上することが好ましい。また、エンジンから車輪へ動力を伝達する伝達経路に変速装置を備える場合には、運転者が変速のタイミングを判断するために、エンジン回転数の視認性を向上することが好ましい。
【００８５】
（その他の実施形態）
なお、前記実施形態では、ＣＰＵ５１は、エンジン回転数に基づいて、数字表示部３６の点灯形態を変化させていたが、これに限られず、他の設定時に数字表示部を個別に点灯して運転者に情報を報知してもよい。例えば、乗物制御（ＡＢＳ、トラクションコントロール、ローンチ、リミット制御）の作動または終了条件を運転者が事前に設定可能な場合に、作動条件の大きさ（作動のしやすさ）を数字表示部の点灯数で表すことで、運転者に作動条件を示しやすくすることができる。例えば、設定するローンチ回転数を数字表示部で個別に示してもよい。
【００８６】
また、前記実施形態では、エンジンを駆動源としていたが、これに限らず、電動モータなどを駆動源としていてもよい。駆動源の出力軸の回転数の変化に応じて出力トルクが変化する乗物、駆動源の出力軸の回転数を変速して駆動輪に伝達する乗物等において、駆動源の出力軸の回転数を運転者が視認する要求が多いので、駆動源の出力軸の回転数を乗物状態値とすることに、特に有利な効果が生じる。
【００８７】
また、前記実施形態では、指針３２が示すエンジン回転数以下を示す数字表示部３６を全て点灯させ、指針３２が示すエンジン回転数よりも大きいエンジン回転数を示す数字表示部３６を全て消灯させていたが、これに限られない。指針が示すエンジン回転数以下を示す数字表示部を点滅表示してもよいし、点滅間隔を変化させて表示してもよい。また、指針が示すエンジン回転数以下を示す数字表示部を点灯する発光体の輝度を大きくしてもよいし、数字表示部の点灯色を赤色以外の青色などの他の点灯色にしてもよい。また、指針が示すエンジン回転数以下を示す数字表示部を消灯すると共に、指針が示すエンジン回転数よりも大きいエンジン回転数を示す数字表示部を点灯してもよい。さらに、指針が示す数字表示部の次に大きい回転数を示す数字表示部を点灯させてもよいし、指針が示すエンジン回転数に対して時間遅れまたは時間進みを持たせて、数字表示部による点灯を行わせてもよい。
【００８８】
また、前記実施形態では、ＣＰＵ５１は、走行時および設定値の設定時に数字表示部３６の点灯形態を制御していたが、これに限らず、走行時および設定値の設定時以外でも、複数の指標部の点灯形態を制御してもよい。例えば、制御部は、始動動作時または終了動作時に、複数の指標部を個別に制御して、始動または終了を表す表示を行ってもよい。
【００８９】
また、前記実施形態では、タコメータ２１の目盛部３７は、エンジン回転数にかかわらず常に点灯していたが、これに限られない。エンジン回転数などの乗物状態値の変化に応じて、個別に点灯や点滅をしたり、点灯色を変化させたり、消灯してもよい。目盛部と数字表示部の少なくともいずれか一方が、個別に点灯してもよい。
【００９０】
また、前記実施形態では、指針３２が角変位して、エンジン回転数をアナログ表示していたが、デジタル表示してもよい。また、指針３２は、ＥＣＵ７０やセンサからの電気信号に基づいて、モータによって角変位していたが、これに限られない。センサを用いずに、例えば遠心式タコメータや磁気式タコメータなどのように、乗物状態の変化に基づく動力の変化を機械的に取り込んで指針を駆動させてもよい。
【００９１】
また、前記実施形態では、ＣＰＵ５１は、取得したエンジン回転数の情報に基づいて指針駆動回路５３を介して指針３２を駆動制御すると共に、ＬＥＤ駆動回路５４を介して前記複数のＬＥＤの点灯または消灯を制御して、数字表示部３６の点灯形態を制御していたが、これに限られない。指標部の点灯形態は、乗物状態値と連動していればよく、指針位置と一致していなくてもよい。例えば、指針位置が示す乗物状態値よりも大きい状態値を示す指標部が点灯してもよいし、不所望な指標部の点滅を防ぐために、指標部の点灯または消灯に遅れを持たせてもよいし、点灯条件と消灯条件とにヒステリシスを与えてもよい。
【００９２】
また、前記実施形態では、エンジン回転数がシフトアップ回転数に到達したとき、数字表示部３６の点灯形態をシフトアップ時の点灯形態にしていたが、これに限られない。シフトアップ動作について、設定した回転数に対して所定回転数前から事前に点滅を行ってもよい。すなわち、設定回転数に対して所定回転数前と、設定回転数以上とで、点滅状態を異ならせる。例えば、設定回転数の５００ｒｐｍ前から長い周期で点滅（３Ｈｚ）を開始して、設定回転数以上で短い周期（８Ｈｚ）で点滅させる。このようにすることで、運転者に事前にシフトアップ回転数に近づいたことを表示することができ、利便性を向上させることができる。
【００９３】
また、前記実施形態では、減速比にかかわらず、一定のシフトアップ回転数を設定していたが、減速比ごとにシフトアップ回転数を設定してもよい。また、最小減速比では、シフトアップ時の点灯形態にしなくてもよい。
【００９４】
また、前記実施形態では、エンジン回転数がシフトアップ回転数に到達したとき、数字表示部３６の点灯形態を通常状態とは異なる点灯形態にしていたが、これに限られない。シフトアップ回転数に到達したとき以外に、他の条件を満足すると、数字表示部を通常状態とは異なる点灯形態としてもよい。例えば、乗物制御の作動、継続、終了を、数字表示部を用いて表示してもよい。具体的には、乗物制御（例えばローンチ制御）の作動時に、所定期間数字表示部を点滅させてもよい。これによって、運転者に通常とは異なる乗物制御が作動したことを表示することができる。作動に限らず、継続、終了を数字表示部を用いて表示してもよい。
【００９５】
また、前記実施形態では、エンジン回転数の表示や、シフトアップ回転数の設定時に数字表示部３６を個別に点灯していたが、これに限らず、数字表示部を個別に点灯することで別情報を表示することができる。例えば、メータ表示装置の起動時に、各数字表示部を時間変化に応じて個別に点灯することで、アニメーション表示として、起動状態を示すようにしてもよい。また、運転者の指令により、時刻に対応した数字表示部を点灯させるようにしてもよい。また、予め定めた設定時刻に対するカウントダウン値に対応した数字表示部を点灯させるようにしてもよい。このように数字表示部を個別に点灯することで、他のメータ表示部分に示される情報を強調表示したり、他のメータ表示部分には示されていない情報を別途表示したりして、多様な情報を運転者に知らせることができる。
【００９６】
また、前記実施形態では、発光体はＬＥＤであったが、これに限らず、ＥＬ（Electroluminescence）や電球であってもよい。また、数字表示部３６を個別に点灯するにあたって、１つの光源に対して、数字表示部への光の透過を個別に制御するシャッター素子、例えば液晶表示素子を設けて、数字表示部を個別に点灯してもよい。なお、数字表示部は、反射型液晶等に比べて自発光型である方が好ましい。
【００９７】
また、本発明のメータ表示装置は、タコメータ（エンジン回転数メータ）に限定されず、タコメータ以外の指針を用いて乗物状態が示される表示装置に適用できる。例えば、指針を備える、速度計、油温計、水温計、燃料計（走行可能距離計）、吸気圧計（ブースト圧）などにも適用可能である。
【００９８】
また、本発明のメータ表示装置は、自動二輪車に限定されず、自動二輪車以外の車輌にも適用可能である。たとえば前後にそれぞれ車輪を備える車輌、たとえば３輪以上の車輪を備える鞍乗り型車輌にも適用可能である。特に、旋回時に車体を傾斜させる乗物について、本発明を好適に用いることができる。
【００９９】
前記実施形態およびその他の実施形態で述べた構成要素は、適宜、組み合わせてもよく、また、適宜、選択、置換、あるいは、削除してもよいのは、勿論である。
【符号の説明】
【０１００】
１５  メータ表示装置
２１  タコメータ
３１  文字盤
３２  指針
３２ａ  回転中心
３６  数字表示部
５１  ＣＰＵ
【図１】
0006359403.tif 000002
【図２】
0006359403.tif 000003
【図３】
0006359403.tif 000004
【図４】
0006359403.tif 000005
【図５】
0006359403.tif 000006
【図６】
0006359403.tif 000007